(57)【要約】【課題】  １台のカメラで来訪者を判別可能な映像と来訪者周囲の映像の双方を居室親機で簡易な操作で確認できる集合住宅インターホンシステムを提供する。【解決手段】  カメラ１１がエントランスの略全体を撮像する広角カメラであって、集合玄関機１はカメラ１１の撮像映像をズーム及びパンチルト制御する映像処理部１２、カメラ１１の特定のズーム状態を記憶する玄関機メモリ１７、カメラ１１をズーム及びパンチルト操作して、カメラ１１の特定のズーム状態を設定するテンキー１５及び操作部１６、集合玄関機１を制御する玄関機ＣＰＵ１８を有し、玄関機ＣＰＵ１８は、ズーム設定操作を受けて、設定されたズーム情報を前記玄関機メモリ１７に記憶制御し、居室親機のズーム操作を受けて映像処理部１２が出力する映像を、玄関機メモリ１７に記憶した特定のズーム状態へ移行させる。【選択図】  図２
2011135312.tif 000002
【特許請求の範囲】
【請求項１】
来訪者が居住者を呼び出すために集合住宅のエントランスに設置される集合玄関機と、前記集合玄関機からの呼び出しを報知し、居住者が来訪者と通話するために各住戸に設置される複数の居室親機と、前記集合玄関機及び前記居室親機を制御する制御機とを備え、前記集合玄関機には来訪者を撮像するためのカメラ、前記居室親機には前記カメラの撮像映像を表示するモニタを備えて成る集合住宅インターホンシステムにおいて、
前記カメラが、来訪者に加えてエントランスの略全体を撮像可能な広角カメラであって、
前記集合玄関機は、前記カメラの撮像映像をズーム及びパンチルト制御するカメラ出力映像制御部と、
前記カメラの撮像映像をズーム及びパンチルト操作し、前記モニタに特定のズーム状態の映像が表示されるよう設定するためのズーム設定部と、を備える一方、
前記集合玄関機或いは前記制御機に、前記ズーム設定部で設定されたズーム設定情報を記憶するズーム設定記憶部を設け、
更に個々の前記居室親機は、前記モニタに表示される映像を前記特定のズーム状態の映像に切り替えるためのズームボタンを備え、
前記カメラ出力映像制御部は、前記ズーム設定部の操作及び任意の１台の前記居室親機の操作を受けて、双方の間の通話路を形成して当該居室親機のモニタに前記カメラの撮像映像を表示させ、操作されたズーム情報に従い前記カメラの撮像映像をズーム処理して出力し、設定されたズーム情報を前記ズーム設定記憶部に記憶させ、
更に任意の居室親機の前記ズームボタン操作を受けて、前記ズーム設定記憶部に記憶されたズーム情報に基づいて、出力映像を前記特定のズーム状態へ移行させることを特徴とする集合住宅インターホンシステム。
【請求項２】
来訪者が居住者を呼び出すために集合住宅のエントランスに設置される集合玄関機と、前記集合玄関機からの呼び出しを報知し、居住者が来訪者と通話するために各住戸に設置される複数の居室親機と、前記集合玄関機及び前記居室親機を制御する制御機とを備え、前記集合玄関機には来訪者を撮像するためのカメラ、前記居室親機には前記カメラの撮像映像を表示するモニタを備えて成る集合住宅インターホンシステムにおいて、
前記カメラが、来訪者に加えてエントランスの略全体を撮像可能な広角カメラであって、
前記集合玄関機は、前記カメラの撮像映像をズーム及びパンチルト制御するカメラ出力映像制御部と、
前記カメラの撮像映像をズーム及びパンチルト操作し、前記モニタに特定のズーム状態の映像が表示されるよう設定するためのズーム設定部と、を備える一方、
個々の前記居室親機は、前記ズーム設定部で設定された自身に対するズーム設定情報を記憶するズーム設定記憶部と、前記モニタに表示される映像を前記特定のズーム状態の映像に切り替えるためのズームボタンとを備え、
前記カメラ出力映像制御部は、前記ズーム設定部の操作及び任意の１台の前記居室親機の操作を受けて、双方の間の通話路を形成して当該居室親機のモニタに前記カメラの撮像映像を表示させ、操作されたズーム情報に従い前記カメラの撮像映像をズーム処理して出力し、設定されたズーム情報を当該居室親機のズーム設定記憶部に記憶させ、
更に任意の居室親機の前記ズームボタン操作を受けて、前記ズーム設定記憶部に記憶されたズーム情報に基づいて、出力映像を前記特定のズーム状態へ移行させることを特徴とする集合住宅インターホンシステム。
【請求項３】
来訪者が居住者を呼び出すために集合住宅のエントランスに設置される集合玄関機と、前記集合玄関機からの呼び出しを報知し、居住者が来訪者と通話するために各住戸に設置される複数の居室親機と、前記集合玄関機及び前記居室親機を制御する制御機とを備え、前記集合玄関機には来訪者を撮像するためのカメラ、前記居室親機には前記カメラの撮像映像を表示するモニタを備えて成る集合住宅インターホンシステムにおいて、
前記カメラが、来訪者に加えてエントランスの略全体を撮像可能な広角カメラであって、
前記集合玄関機は、前記カメラの撮像映像をズーム及びパンチルト制御するカメラ出力映像制御部と、
前記カメラの撮像映像をズーム及びパンチルト操作し、前記モニタに特定のズーム状態の映像が表示されるよう設定するためのズーム設定部と、を備える一方、
前記集合玄関機或いは前記制御機に、前記ズーム設定部で設定されたズーム設定情報を記憶するズーム設定記憶部を設け、
更に個々の前記居室親機は、前記モニタに表示される映像を前記特定のズーム状態の映像に切り替えるためのズームボタンを備え、
前記カメラ出力映像制御部は、前記ズーム設定部の操作及び任意の１台の前記居室親機の操作を受けて、双方の間の通話路を形成して当該居室親機のモニタに前記カメラの撮像映像を表示させ、操作されたズーム情報に従い前記カメラの撮像映像をズーム処理して出力し、設定されたズーム情報を居室親機ＩＤ情報と共に前記ズーム設定記憶部に記憶させ、
更に任意の居室親機の前記ズームボタン操作を受けて、居室親機ＩＤ情報を基に前記ズーム設定記憶部に記憶されたズーム情報を読み取り、出力映像を前記特定のズーム状態へ移行させることを特徴とする集合住宅インターホンシステム。
【請求項４】
前記ズームボタンがズーム／ワイドを交互に切り替える映像切替ボタンであって、
前記カメラ出力映像制御部は、前記集合玄関機の呼出操作を受けて、最初に前記ズーム設定記憶部に記憶された特定のズーム状態の映像を前記居室親機に出力し、その後前記映像切替ボタンの操作を受ける毎に、前記カメラが撮像する広角映像と前記特定のズーム状態の映像の出力とを切替制御することを特徴とする請求項１乃至３の何れかに記載の集合住宅インターホンシステム。
【発明の詳細な説明】
【技術分野】
【０００１】
本発明は集合住宅インターホンシステムに関し、特に呼出操作した来訪者映像に加えて来訪者周囲の状況も確認可能な映像も表示できる居室親機を備えた集合住宅インターホンシステムに関する。
【背景技術】
【０００２】
集合玄関機を操作した来訪者を確認するための映像に加えて、防犯のために来訪者周囲のエントランスの状況を居室親機で確認可能とした集合住宅インターホンシステムがある。例えば特許文献１では、集合玄関機に設けたカメラが来訪者の主に上半身を撮像し、エントランスに設置されたオートドアを通過する人物を別途設けたオートドアカメラで確認できるようにしている。
【先行技術文献】
【特許文献】
【０００３】
【特許文献１】特開２０００−１０１７３１号公報
【発明の概要】
【発明が解決しようとする課題】
【０００４】
来訪者の顔と共にオートドアを通過する人物等周囲の状況を確認できる上記従来例のシステムは、集合玄関機のカメラ以外に別途カメラが必要であった。
一方で、最近では１８０度近い超広角で撮像できるカメラを比較的安価に入手できる。そこで、このような広角カメラを使用すれば、１台のカメラで来訪者とエントランス全体の双方の確認を行うが可能となる。しかしながら、エントランス全体を確認できる映像から来訪者を確認可能な映像に変更するためには、ズーム操作に加えてパンチルト操作が必要であり、面倒なカメラ操作が必要となっていた。
【０００５】
そこで、本発明はこのような問題点に鑑みなされたもので、１台のカメラで来訪者を判別可能な映像と来訪者周囲の映像の双方を居室親機で簡易な操作で確認できる集合住宅インターホンシステムを提供することを目的としている。
【課題を解決するための手段】
【０００６】
上記課題を解決する為に、請求項１の発明は、来訪者が居住者を呼び出すために集合住宅のエントランスに設置される集合玄関機と、集合玄関機からの呼び出しを報知し、居住者が来訪者と通話するために各住戸に設置される複数の居室親機と、集合玄関機及び居室親機を制御する制御機とを備え、集合玄関機には来訪者を撮像するためのカメラ、居室親機にはカメラの撮像映像を表示するモニタを備えて成る集合住宅インターホンシステムにおいて、カメラが、来訪者に加えてエントランスの略全体を撮像可能な広角カメラであって、集合玄関機は、カメラの撮像映像をズーム及びパンチルト制御するカメラ出力映像制御部と、カメラの撮像映像をズーム及びパンチルト操作し、モニタに特定のズーム状態の映像が表示されるよう設定するためのズーム設定部と、を備える一方、集合玄関機或いは制御機に、ズーム設定部で設定されたズーム設定情報を記憶するズーム設定記憶部を設け、更に個々の居室親機は、モニタに表示される映像を特定のズーム状態の映像に切り替えるためのズームボタンを備え、カメラ出力映像制御部は、ズーム設定部の操作及び任意の１台の居室親機の操作を受けて、双方の間の通話路を形成して当該居室親機のモニタにカメラの撮像映像を表示させ、操作されたズーム情報に従いカメラの撮像映像をズーム処理して出力し、設定されたズーム情報をズーム設定記憶部に記憶させ、更に任意の居室親機のズームボタン操作を受けて、ズーム設定記憶部に記憶されたズーム情報に基づいて、出力映像を特定のズーム状態へ移行させることを特徴とする。
【０００７】
この構成によれば、ズームボタンを操作することで、モニタに表示される映像が、１台のカメラの広角映像からズーム及びパンチルトして設定した特定のズーム状態の映像に移行する。よって、居住者は簡単なボタン操作で来訪者を判別可能な映像とその周囲或いはエントランス全体の映像の双方を見ることができる。
また、設定した特定のズーム状態の映像を、任意の居室親機でもズームボタン操作で見ることができるので、１回の設定操作で全ての居室親機のズーム状態を設定することができ、施工時等に行う設定作業が増えて施工業者に負担になることもない。そして、集合玄関機で設定するため、居住者が誤って設定を変更するような問題も発生しないし、集合玄関機に備えた１台のカメラで済むのでシステムを安価に構成できる。
【０００８】
請求項２の発明は、来訪者が居住者を呼び出すために集合住宅のエントランスに設置される集合玄関機と、集合玄関機からの呼び出しを報知し、居住者が来訪者と通話するために各住戸に設置される複数の居室親機と、集合玄関機及び居室親機を制御する制御機とを備え、集合玄関機には来訪者を撮像するためのカメラ、居室親機にはカメラの撮像映像を表示するモニタを備えて成る集合住宅インターホンシステムにおいて、カメラが、来訪者に加えてエントランスの略全体を撮像可能な広角カメラであって、集合玄関機は、カメラの撮像映像をズーム及びパンチルト制御するカメラ出力映像制御部と、カメラの撮像映像をズーム及びパンチルト操作し、モニタに特定のズーム状態の映像が表示されるよう設定するためのズーム設定部と、を備える一方、個々の居室親機は、ズーム設定部で設定された自身に対するズーム設定情報を記憶するズーム設定記憶部と、モニタに表示される映像を特定のズーム状態の映像に切り替えるためのズームボタンとを備え、カメラ出力映像制御部は、ズーム設定部の操作及び任意の１台の居室親機の操作を受けて、双方の間の通話路を形成して当該居室親機のモニタにカメラの撮像映像を表示させ、操作されたズーム情報に従いカメラの撮像映像をズーム処理して出力し、設定されたズーム情報を当該居室親機のズーム設定記憶部に記憶させ、更に任意の居室親機のズームボタン操作を受けて、ズーム設定記憶部に記憶されたズーム情報に基づいて、出力映像を特定のズーム状態へ移行させることを特徴とする。
【０００９】
この構成によれば、ズームボタンを操作することで、モニタに表示される映像が、１台のカメラの広角映像からズーム及びパンチルトして設定した特定のズーム状態の映像に移行する。よって、居住者は簡単なボタン操作で来訪者を判別可能な映像とその周囲或いはエントランス全体の映像の双方を見ることができる。
また、居室親機毎に特定のズーム状態を設定できるので、居住者個々の好みに合わせて設定でき居住者のニーズに答えることができる。そして、集合玄関機で設定するため、居住者が誤って設定を変更するような問題も発生しないし、集合玄関機に備えた１台のカメラで済むのでシステムを安価に構成できる。
【００１０】
請求項３の発明は、来訪者が居住者を呼び出すために集合住宅のエントランスに設置される集合玄関機と、集合玄関機からの呼び出しを報知し、居住者が来訪者と通話するために各住戸に設置される複数の居室親機と、集合玄関機及び居室親機を制御する制御機とを備え、集合玄関機には来訪者を撮像するためのカメラ、居室親機にはカメラの撮像映像を表示するモニタを備えて成る集合住宅インターホンシステムにおいて、カメラが、来訪者に加えてエントランスの略全体を撮像可能な広角カメラであって、集合玄関機は、カメラの撮像映像をズーム及びパンチルト制御するカメラ出力映像制御部と、カメラの撮像映像をズーム及びパンチルト操作し、モニタに特定のズーム状態の映像が表示されるよう設定するためのズーム設定部と、を備える一方、集合玄関機或いは制御機に、ズーム設定部で設定されたズーム設定情報を記憶するズーム設定記憶部を設け、更に個々の居室親機は、モニタに表示される映像を特定のズーム状態の映像に切り替えるためのズームボタンを備え、カメラ出力映像制御部は、ズーム設定部の操作及び任意の１台の居室親機の操作を受けて、双方の間の通話路を形成して当該居室親機のモニタにカメラの撮像映像を表示させ、操作されたズーム情報に従いカメラの撮像映像をズーム処理して出力し、設定されたズーム情報を居室親機ＩＤ情報と共にズーム設定記憶部に記憶させ、更に任意の居室親機のズームボタン操作を受けて、居室親機ＩＤ情報を基にズーム設定記憶部に記憶されたズーム情報を読み取り、出力映像を特定のズーム状態へ移行させることを特徴とする。
【００１１】
この構成によれば、ズームボタンを操作することで、モニタに表示される映像が、１台のカメラの広角映像からズーム及びパンチルトして設定した特定のズーム状態の映像に移行する。よって、居住者は簡単なボタン操作で来訪者を判別可能な映像とその周囲或いはエントランス全体の映像の双方を見ることができる。
また、居室親機毎に特定のズーム状態を設定できるので、居住者個々の好みに合わせて設定でき、居住者のニーズに答えることができる。そして、集合玄関機で設定するため、居住者が誤って設定を変更するような問題も発生しない。
更に、ズーム設定記憶部は全ての居室親機の設定に対して１箇所に設ければよいし、カメラは１台で済むため、システムを安価に構成できる。
【００１２】
請求項４の発明は、請求項１乃至３の何れかに記載の構成において、ズームボタンがズーム／ワイドを交互に切り替える映像切替ボタンであって、カメラ出力映像制御部は、集合玄関機の呼出操作を受けて、最初にズーム設定記憶部に記憶された特定のズーム状態の映像を居室親機に出力し、その後映像切替ボタンの操作を受ける毎に、カメラが撮像する広角映像と特定のズーム状態の映像の出力とを切替制御することを特徴とする。
この構成によれば、広角カメラを使用しても来訪者からの呼び出し時は、最初に来訪者を拡大した映像をモニタに表示するよう設定できるので、来訪者を確認する為にズーム操作する必要がなくなり便利である。そして、必要に応じてエントランス全体を見たい場合はワンタッチ操作で映像を切り替えることができ、防犯にも効果的である。
【発明の効果】
【００１３】
本発明によれば、ズームボタンを操作することで、モニタに表示される映像が、広角カメラで撮像した映像からズーム及びパンチルトして設定した特定のズーム状態の映像に移行する。よって、居住者はワンタッチ操作で来訪者を判別可能な映像とエントランス全体の映像の双方を見ることができる。そして、１台のカメラで済むのでシステムを安価に構成できる。
【図面の簡単な説明】
【００１４】
【図１】本発明に係る集合住宅インターホンシステムの一例を示す構成図である。
【図２】集合玄関機の回路ブロック図である。
【図３】居室親機の回路ブロック図である。
【図４】ズーム及びパンチルト動作設定の説明図であり、（ａ）は設定前、（ｂ）は設定途中、（ｃ）は設定後のモニタ表示映像を示している。
【発明を実施するための形態】
【００１５】
以下、本発明を具体化した実施の形態を、図面に基づいて詳細に説明する。図１は、本発明に係る集合住宅インターホンシステムの構成図であり、１は来訪者が居住者を呼び出すために集合住宅のエントランスに設置される集合玄関機、２は集合玄関機１からの呼び出しを報知し、居住者が来訪者と通話するために各住戸に設置される居室親機、３は管理室に設置されて集合玄関機１や居室親機２と通話路を形成できる管理室親機、４は集合玄関機１、居室親機２及び管理室親機３を制御する制御機である。
集合玄関機１は伝送線Ｌ１により制御機４に接続され、各居室親機２，２，・・は親機幹線Ｌ２により制御機４に接続され、管理室親機３は伝送線Ｌ３により制御機４に接続されている。
【００１６】
図２は集合玄関機１の回路ブロック図を示している。図２に示すように、集合玄関機１は、来訪者に加えてその周囲を撮像するためのカメラ１１、カメラ１１で撮像した映像のズーム及びパンチルト処理等を行う映像処理部１２、通話するためのマイク１３ａ、スピーカ１３ｂ、マイク１３ａ及びスピーカ１３ｂを制御する通話回路１３、呼出先居室番号の入力等を行うためのテンキー１５、呼出操作やカメラ１１の特定のズーム状態の設定をおこなうための操作部１６、ズーム設定情報等を記憶するための玄関機メモリ１７、集合玄関機１全体を制御する玄関機ＣＰＵ１８、制御機４と通信するための玄関機ＩＦ１９等を備えている。
【００１７】
尚、カメラ１１は、左右方向を１２０度以上の広角で撮像する広角カメラが使用される。特に、１８０度近い広角で撮像する超広角カメラを使用するとエントランスのほぼ全域を一度に撮像できるので好ましい。但し、エントランスの角部等に集合玄関機１が設置されているような場合は、１２０度程度の広角カメラでも十分にエントランス全体を撮像できる。
【００１８】
図３は居室親機２の回路ブロック図を示している。図３に示すように、居室親機２は、集合玄関機１のカメラ１１が撮像した映像を表示するためのモニタ２１、集合玄関機１から伝送された映像信号をモニタ２１が表示する映像信号に変換処理する映像処理部２２、通話するためのマイク２３ａ、スピーカ２３ｂ、マイク２３ａ及びスピーカ２３ｂを制御する通話回路２３、モニタ２１に表示される映像のズーム／ワイド切替操作を行う映像切替ボタン２４、応答操作や各種設定操作を行うための操作部２５、設定されたズーム設定情報や他の設定情報を記憶する親機メモリ２６、居室親機２全体を制御する親機ＣＰＵ２７、制御機４と通信するための親機ＩＦ２８等を備えている。
【００１９】
このように構成された集合住宅インターホンシステムは次のように動作する。来訪者が集合玄関機１を操作して居住者の呼出操作を行う、具体的にはテンキー１５から部屋番号が入力され、操作部１６の図示しない呼出ボタンが操作されると、玄関機ＣＰＵ１８が呼出信号を生成して制御機４に出力する。制御機４は呼出信号を呼出先の居室親機２に伝送し、呼出信号を受信した居室親機２は、親機ＣＰＵ２７の制御によりスピーカ２３ｂから呼出音を報音する。
一方で、来訪者により操作された集合玄関機１では、玄関機ＣＰＵ１８がカメラ１１を起動し、撮像した映像が映像処理部１２で処理されて制御機４を介して呼出先の居室親機２に伝送される。この映像信号を受信した居室親機２では、映像処理部２２にて適宜映像処理されてモニタ２１に表示される。このときモニタ２１には、カメラ１１が撮像しているワイド映像、即ち来訪者を含むエントランス全体の映像が表示される。
【００２０】
こうしてモニタ２１にカメラ１１の撮像映像が表示された状態において、居住者が居室親機２の映像切替ボタン２４を操作すると、映像の一部が切り出されたズーム映像がモニタ２１に表示される。詳しくは、映像切替ボタン２４の操作を受けて、親機ＣＰＵ２７が集合玄関機１に対してズーム信号を出力し、このズーム信号を受けた集合玄関機１では、玄関機ＣＰＵ１８が映像処理部１２を制御して、カメラ１１の撮像映像の内の予め設定されたエリアが切り出されて、ズーム映像として居室親機２に伝送される。尚、映像切替ボタン２４によりズームされるエリアは後述する手順により予め設定されている。
こうして呼び出しを受けた居住者は、モニタ２１の表示映像をみて来訪者を確認でき、所定の応答操作することで集合玄関機１との間で通話路が形成され、来訪者と通話が可能となる。
【００２１】
以下、映像切替ボタン２４の操作で、カメラ１１が撮像したワイド映像（広角映像）から一部が切り出されてズーム映像として表示されるズーム設定の手順を説明する。
〈第１の形態〉
最初に、１回の設定操作で全ての居室親機２が表示するズーム位置を一律に設定する第１の形態を説明する。
集合玄関機１の所定の操作でシステムはズーム位置設定モードに移行する。例えば、集合玄関機１のハウジング側面等に設けた図示しないディップスイッチ等の操作で、システムはズーム位置設定モードに移行する。このズーム位置設定モード移行操作を受けて、玄関機ＣＰＵ１８は、テンキー１５及び操作部１６の操作でズーム位置の設定制御を実施する。そして、カメラ１１を起動し、各居室親機２に対して設定モード移行信号を送出する。
【００２２】
この信号を受けた個々の居室親機２は、所定の操作、例えば操作部２５が操作されたり、ハンドセットがある場合はハンドセットがフックアップされる等の操作が成されたら、ズーム位置設定モードに移行するよう親機ＣＰＵ２７が待受状態となる。
所定の操作を受けてズーム位置設定モードに移行した居室親機２は、親機ＣＰＵ２７が制御機４へ応答信号を出力し、制御機４が集合玄関機１と応答信号を出力した居室親機２の間の通話路を形成する。そして、居室親機２のモニタ２１にカメラ１１の撮像映像が表示される。
こうして、集合玄関機１と、ズーム位置設定モードに移行した１台の居室親機２の間でズーム位置設定が行われる。設定は、集合玄関機１を操作する作業者と、居室親機２に表示される映像を確認する作業者の２人により行われ、双方で通話しながら行われる。
【００２３】
具体的には、映像処理部１２が図４（ａ）に示すような９分割された映像を出力し、居室親機２のモニタ２１に表示される。そして、玄関機ＣＰＵ１８が集合玄関機１のテンキー１５にズーム位置を割り当てる。
図４は、このズーム位置設定モードでのモニタ２１の表示映像を模式的に示した図であり、（ａ）は最初の表示状態、（ｂ）はパンチルト操作してズーム位置を移動した状態、（ｃ）は決定操作してズーム映像が表示された状態を夫々示している。Ｆはズーム操作した際に拡大表示される矩形の選択枠を示し、Ｐは来訪者映像を示している。
【００２４】
表示された映像は９分割されて表示され、左上から横方向に順に１、２、・・・、９の番号が右下に向かって割り当てられ、それらが集合玄関機１のテンキー１５の番号に対応している。従って、集合玄関機１側の作業者が、例えば「４」キーを操作すると、玄関機ＣＰＵ１８が映像処理部１２を制御して、図４（ｂ）に示すように選択枠Ｆを「４」の位置である左中段に移動させ、この映像がモニタ２１に表示される。
【００２５】
この表示変化を見ている居室親機２側の作業者が、選択枠Ｆの設定が良いと判断したら、通話により集合玄関機１側の作業者に通知され、集合玄関機１側の作業者により所定の決定操作が成される。その結果、玄関機ＣＰＵ１８の制御で、モニタ２１には図４（ｃ）に示すズーム映像が表示され、玄関機メモリ１７に選択枠Ｆの位置情報（ズーム設定情報）を記憶させる。
ズーム位置を決定した後は、所定のズーム位置設定モード終了操作により通常状態に移行し、カメラ１１による撮像は停止する。
【００２６】
尚、この第１の形態では、親機メモリ２６をズーム設定情報を記憶するメモリとしては使用しない。また、この時設定されるズーム位置は、集合玄関機１を操作した来訪者の顔をズームして表示するよう設定することで、来訪者を確認する映像にワンタッチで切り替えることができる。
【００２７】
ズーム位置設定完了後は、上述したように映像切替ボタン２４が操作されて居室親機２からズーム信号が集合玄関機１に伝送されると、玄関機ＣＰＵ１８が玄関機メモリ１７に記憶したズーム設定情報を読み取って映像処理部１２を制御し、設定された位置をズームした映像が作成されて居室親機２に伝送させる。これにより、モニタ２１では予め設定した位置をズームした映像に切り替わる。
そして、玄関機ＣＰＵ１８は、任意の居室親機２から伝送されたズーム信号に対して同様のズーム制御を実施し、設定をおこなった居室親機２でなくても玄関機メモリ１７に記憶した１つのズーム設定情報に基づいてズームを実施する。
尚、映像切替ボタン２４を再操作すれば、もとのワイド映像に切り替えることができるし、図示しないパンチルトボタンを操作するとズーム映像をパンチルトさせることができる。
【００２８】
このように、映像切替ボタン２４を操作することで、モニタ２１に表示される映像が、１台のカメラ１１の広角映像からズーム及びパンチルトして設定した特定のズーム状態の映像に移行する。よって、居住者は簡単なボタン操作で来訪者を判別可能な映像とその周囲或いはエントランス全体の映像の双方を見ることができる。
また、１台の居室親機２の映像を見て設定した特定のズーム状態の映像を、他の任意の居室親機２でも映像切替ボタン２４の操作で見ることができるので、１回の設定操作で全ての居室親機２のズーム状態を設定することができ、施工時等に行う設定作業が増えて施工業者に負担になることもない。そして、集合玄関機１で設定するため、居住者が誤って設定を変更するような問題も発生しないし、集合玄関機１に備えた１台のカメラで済むのでシステムを安価に構成できる。
更に、ズーム設定を居室親機２のモニタ２１で確認しながら設定することができるので設定し易いし、パンチルトボタン操作でワイド映像で確認できなかった部分も容易に確認することができ、セキュリティ性を向上させることが可能となる。
【００２９】
尚、この実施形態では、図４に示すようにズーム位置とズーム率を予め設定して映像処理部１２の負担を軽減させているが、ズーム位置やズーム率は任意に設定できるよう構成しても良い。また、ズーム設定の情報を集合玄関機１で記憶しているが、制御機４に記憶させても良く、その場合はズーム操作を受ける毎に玄関機ＣＰＵ１８が制御機４から設定情報を読み取れば良い。また、制御機４と集合玄関機１とを独立させてシステムを形成しいるが、一体化して構成しても良い。
【００３０】
〈第２の形態〉
次に、個々の居室親機２に対してズーム位置を設定する第２の形態を説明する。集合玄関機１の所定の操作でズーム位置設定モードに移行すると、上記形態と同様に集合玄関機１の玄関機ＣＰＵ１８は、操作部１６をズーム位置設定モード状態とし、操作部１６の操作でズーム位置を設定可能とする。同時に、各居室親機２に対して設定モード移行信号を送出し、カメラ１１を起動する。
【００３１】
この信号を受けた各居室親機２は上記第１の形態と同様に待受状態となり、所定の操作を受けた居室親機２がズーム位置設定モードに移行して、集合玄関機１との間で通話路を形成し、図４（ａ）に示すカメラ１１の撮像映像がモニタ２１に表示される。こうして、集合玄関機１とズーム位置設定モードに移行した居室親機２の間で上述したようにズーム位置設定が行われる。
ズーム位置が設定され、集合玄関機１にて所定の決定操作が成されたら、玄関機ＣＰＵ１８が選択枠Ｆの位置情報（ズーム設定情報）を添付した決定信号を生成して居室親機２に送信する。決定信号を受信した居室親機２は、親機ＣＰＵ２７がズーム設定情報を親機メモリ２６に記憶させる。
【００３２】
ズーム位置を決定した後は、所定の操作でズーム設定モードを終了し、通常状態に移行する。このズーム位置設定操作は、個々の居室親機２に対して実施される。
尚、この第２の形態では玄関機メモリ１７をズーム設定情報を記憶するメモリとしては使用しない。
【００３３】
ズーム位置設定完了後は、映像切替ボタン２４が操作されると居室親機２からズーム信号が集合玄関機１に伝送される。但し、親機ＣＰＵ２７は、親機メモリ２６からズーム設定情報を読み取り、ズーム信号と共に集合玄関機１に伝送する。玄関機ＣＰＵ１８は、受信したズーム設定情報を基に映像処理部１２を制御し、設定された位置をズームした映像を作成して居室親機２へ伝送させる。これにより、モニタ２１では予め設定した位置のズーム映像がワイド映像に換わって表示される。
【００３４】
このように、居室親機２毎に特定のズーム状態を設定できるので、居住者個々の好みに合わせて設定でき、居住者のニーズに答えることができる。そして、映像切替ボタン２４を操作することで、モニタ２１に表示される映像が、１台のカメラの広角映像からズーム及びパンチルトして設定した特定のズーム状態の映像に移行するので、居住者は簡単なボタン操作で来訪者を判別可能な映像とその周囲或いはエントランス全体の映像の双方を見ることができる。
【００３５】
尚、集合住宅インターホンシステムでは、通常施工時に居室親機２の居室番号アドレスが設定される（例えば、特開２００２−２６１９５１号公報の段落００１７，００１８参照）。この作業は個々の居室親機２を操作して実施されるため、この設定モードへ移行した状態をズーム位置設定モード状態とすれば、アドレス設定作業時に合わせてズーム位置設定も実施でき、居室親機２毎に設定作業が必要であっても、施工業者の作業負担を軽減することができる。
【００３６】
〈第３の形態〉
個々の居室親機２に対してズーム位置を設定する他の例を説明する。上記第２の形態では、居室親機２毎にズーム位置を設定し、設定したズーム設定情報を自身の親機メモリ２６が記憶したが、この形態では個々の居室親機２での設定が一括して集合玄関機１の玄関機メモリ１７に記憶される。
集合玄関機１においてズーム位置決定操作が行われると、上記第１の形態と同様に玄関機ＣＰＵ１８が玄関機メモリ１７に選択枠Ｆの位置情報（ズーム設定情報）を記憶制御する。但し、この時、玄関機ＣＰＵ１８は、所定の操作を受けてズーム位置設定モードに移行した居室親機２から受信した応答信号より親機ＩＤを認識し、この親機ＩＤを関連付けてズーム設定情報を玄関機メモリ１７に記憶制御する。
【００３７】
ズーム位置設定完了後は、居室親機２の映像切替ボタン２４が操作されると、居室親機２から集合玄関機１にズーム開始信号が伝送される。このズーム信号を受けた玄関子機ＣＰＵ１８は、ズーム信号に含まれるＩＤ情報からいずれのズーム設定情報を読み取ればよいか認識し、ズーム操作した居室親機２において設定したズーム設定情報を玄関機メモリ１７から読み出して、映像処理部１２を制御して所定のズームされた映像を居室親機２に伝送させる。これにより、モニタ２１では予め設定した位置のズーム映像がワイド映像に換わって表示される。
【００３８】
このように、居室親機２毎に特定のズーム状態を設定できる構成であっても、ズーム設定記憶部は１個のメモリで済むため、システムを更に安価に構成できる。そして、映像切替ボタン２４を操作することで、モニタ２１に表示される映像が、１台のカメラの広角映像からズーム及びパンチルトして設定した特定のズーム状態の映像に移行するので、居住者は簡単なボタン操作で来訪者を判別可能な映像とその周囲或いはエントランス全体の映像の双方を見ることができる。
【００３９】
尚、上記実施形態は、何れも呼び出しを受けたら最初にワイド状態の映像をモニタ２１に表示させているが、最初の表示からズームした映像を表示させても良く、来訪者を確認する為にズーム操作する必要がなくなり便利である。そして、周囲を確認したい場合は映像切替ボタン２４を操作することでワイド映像に切り替わるので、セキュリティも維持できる。
【符号の説明】
【００４０】
１・・集合玄関機、２・・居室親機、４・・制御機、１１・・カメラ、１２・・映像処理部（カメラ出力映像制御部）、１５・・テンキー（ズーム設定部）、１６・・操作部（ズーム設定部）、１７・・玄関機メモリ（ズーム設定記憶部）、１８・・玄関機ＣＰＵ（カメラ出力映像制御部）、２１・・モニタ、２４・・映像切替ボタン（ズームボタン）、２６・・親機メモリ（ズーム設定記憶部）、２７・・親機ＣＰＵ。
【図１】
2011135312.tif 000003
【図２】
2011135312.tif 000004
【図３】
2011135312.tif 000005
【図４】
2011135312.tif 000006